(57)【要約】      （修正有）【課題】背負い式動力噴霧器基部と薬品貯槽との直接結束における改良に関し、組立品を構築するための金属または他の材料からなる部品をなくす構造を提供する。【解決手段】上端に充填ノズル２を有するプラスチック製のタンク１から構成され、タンク１は、中央部にタンク側壁接合部を有する形状で、電動送風機組立の上部取付位置３で補強され、底端に、取付ねじの孔と、ベアリングベルト６を受容する座部とを備えた縁部が設けられ、前記縁部は、構造的な剛性を最大限に高めるために、垂直方向の照準に対して所定角度で位置し、基部７は、その前端に、タンク１の前記縁部と完全に嵌合可能な形状の第２縁部を有し、基部７側面には、電動送風機組立の底部取付具９を受容する孔が２つ穿設され、後部は、燃料タンク１０の使用に適した構造である。【選択図】図１
0003172283.tif 000002
【実用新案登録請求の範囲】
【請求項１】
上端に充填ノズル（２）を有するプラスチック製のタンク（１）から構成され、
前記タンク（１）は、中央部にタンク側壁接合部を有する形状で、電動送風機組立の上部取付位置（３）で補強され、
底端に、取付ねじ（５）の孔と、ベアリングベルト（６）を受容する座部とを備えた縁部（４）が設けられ、
前記縁部（４）は、構造的な剛性を最大限に高めるために、垂直方向の照準に対して所定角度で位置し、
基部（７）は、その前端（８）に、前記タンク（１）の前記縁部（４）と完全に嵌合可能な形状の第２縁部を有し、
前記基部（７）側面には、前記電動送風機組立の底部取付具（９）を受容する孔が２つ穿設され、後部は、燃料タンク（１０）の使用に適した構造であることを特徴とする背負い式動力噴霧器基部との薬品貯槽結束改良に導入される構造。
【考案の詳細な説明】
【技術分野】
【０００１】
本考案は、背負い式動力噴霧器と薬品貯槽との直接結束における改良に関する。
【背景技術】
【０００２】
現在、薬品の貯槽は、金属または他の材料に設けられた部品を用いて結束されている。
【考案の概要】
【考案が解決しようとする課題】
【０００３】
しかしながら、このような部品は、最終原価を増加させるだけでなく、組立品の重量を増加させ、使用者が搭載することを妨げる。
【０００４】
そこで本考案は、組立品を取り付けるための金属または他の材料からなる部品をなくすことを開発の目的とする。さらに本考案は、軽量化、デザインの改善、及び装置製造の容易化を目的としている。
【課題を解決するための手段】
【０００５】
上記課題を解決するための手段を、後述する実施形態の参照符号を付して説明すると、本考案は、上端に充填ノズル（２）を有するプラスチック製のタンク（１）から構成され、前記タンク（１）は、中央部にタンク側壁接合部を有する形状で、電動送風機組立の上部取付位置（３）で補強され、  底端に、取付ねじ（５）の孔と、ベアリングベルト（６）を受容する座部とを備えた縁部（４）が設けられ、前記縁部（４）は、構造的な剛性を最大限に高めるために、垂直方向の照準に対して所定角度で位置し、基部（７）は、その前端（８）に、前記タンク（１）の前記縁部（４）と完全に嵌合可能な形状の第２縁部を有し、前記基部（７）側面には、前記電動送風機組立の底部取付具（９）を受容する孔が２つ穿設され、後部は、燃料タンク（１０）の使用に適した構造であることを特徴としている。
【考案の効果】
【０００６】
本考案によれば、組立品を取り付けるための金属または他の材料からなる部品をなくすことができ、さらに軽量化、デザインの改善、及び装置製造の容易化が可能となる。
【図面の簡単な説明】
【０００７】
【図１】本考案に係る背負い式噴霧器の背面斜視図である。
【図２】本考案に係る背負い式噴霧器の別の背面斜視図である。
【図３】本考案に係る背負い式噴霧器の分解図である。
【考案を実施するための形態】
【０００８】
以下、図に示す実施形態を基に、本考案を明確かつ簡潔に記載する。
【０００９】
図１から分かるように、本考案の目的である、背負い式動力噴霧器の基部と薬品の貯槽を結束させる改良は、上端に充填ノズル（２）を備えたプラスチック製のタンク（１）から構成されている。
【００１０】
タンク（１）は、中央部にタンク側壁接合部を有する形状で、電動送風機組立の上部結束位置（３）で補強されている。
【００１１】
さらに、内端において、縁部（４）には、取付ねじ（５）を収容する孔と、ベアリングベルト（６）を受容する座部とが設けられている。
【００１２】
前記縁部（４）は、構造的な剛性を最大限に高めるために、垂直方向の照準に対して所定角度で位置している。
【００１３】
基部（７）には、その前縁部（８）に、タンク（１）の縁部（４）と完全に嵌合可能な形状の第２縁部が設けられている。
【００１４】
基部（７）側面には、電動送風機組立の底部取付具（９）を受容する孔が２つ穿設され、後部は、燃料タンク（１０）を使用するのに適した構造となっている。
【００１５】
上記説明は、好適な実施形態の一例を記載したが、本考案の範囲は、他の変形例を含み、添付の実用新案登録請求の範囲によってのみ制限され、その均等物をも含むことは理解されるべきである。
【符号の説明】
【００１６】
１        タンク
２        充填ノズル
３        （電動送風機組立の）上部取付位置
４        縁部
５        取付ねじ
６        ベアリングベルト
７        基部
８        前端
９        （電動送風機組立の）底部取付具
１０      燃料タンク
【図１】
0003172283.tif 000003
【図２】
0003172283.tif 000004
【図３】
0003172283.tif 000005
【手続補正書】
【提出日】平成23年10月5日(2011.10.5)
【手続補正１】
【補正対象書類名】実用新案登録請求の範囲
【補正対象項目名】全文
【補正方法】変更
【補正の内容】
【実用新案登録請求の範囲】
【請求項１】
上端に充填ノズル（２）を有するプラスチック製の薬品タンク（１）から構成され、
前記タンク（１）は、その前後側壁がそれらの中央部で互いに接着されることで電動送風機を取り付けるための補強取付部（３）が形成され、
薬品タンク（１）の底端には、取付ねじ（５）の孔と、背負い帯（６）を受容する座部とを備えた縁部（４）が設けられると共に、該縁部（４）は垂直方向に所定角度で突出する補強縁部に形成され、
基台（７）には、その前端に、薬品タンク（１）の前記縁部（４）と嵌合可能な形状の第２縁部（８）を有し、
基台（７）の側面には、前記電動送風機の底部取付具（９）を受容する孔が２つ穿設され、後部は、燃料タンク（１０）を位置させるのに適した略平坦構造となっていることを特徴と
する背負い式動力噴霧器への薬品タンクの取付の改良構造。
【手続補正２】
【補正対象書類名】明細書
【補正対象項目名】全文
【補正方法】変更
【補正の内容】
【考案の詳細な説明】
【技術分野】
【０００１】
本考案は、背負い式動力噴霧器と薬品タンクとを直接に取り付けるための改良に関する。
【背景技術】
【０００２】
現在、薬品のタンクは、金属または他の材料に設けられた部品を用いて結束されている。
【考案の概要】
【考案が解決しようとする課題】
【０００３】
しかしながら、このような部品は、最終原価を増加させるだけでなく、噴霧機の重量を増加させ、使用者が背負うことを妨げる。
【０００４】
そこで本考案は、噴霧器を取り付けるための金属または他の材料からなる部品をなくすことを開発の目的とする。さらに本考案は、軽量化、デザインの改善、及び装置製造の容易化を目的としている。
【課題を解決するための手段】
【０００５】
上記課題を解決するための手段を、後述する実施形態の参照符号を付して説明すると、本考案は、上端に充填ノズル（２）を有するプラスチック製の薬品タンク（１）から構成され、前記タンク（１）は、その前後側壁がそれらの中央部で互いに接着されることで電動送風機を取り付けるための補強取付部（３）が形成され、薬品タンク（１）の底端には、取付ねじ（５）の孔と、背負い帯（６）を受容する座部とを備えた縁部（４）が設けられると共に、該縁部（４）は垂直方向に所定角度で突出する補強縁部に形成され、基台（７）には、その前端に、薬品タンク（１）の前記縁部（４）と嵌合可能な形状の第２縁部（８）を有し、基台（７）の側面には、前記電動送風機の底部取付具（９）を受容する孔が２つ穿設され、後部は、燃料タンク（１０）を位置させるのに適した略平坦構造となっていることを特徴としている。
【考案の効果】
【０００６】
本考案によれば、噴霧器を取り付けるための金属または他の材料からなる部品をなくすことができ、さらに軽量化、デザインの改善、及び装置製造の容易化が可能となる。
【図面の簡単な説明】
【０００７】
【図１】本考案に係る背負い式噴霧器の背面斜視図である。
【図２】本考案に係る背負い式噴霧器の別の背面斜視図である。
【図３】本考案に係る背負い式噴霧器の分解図である。
【考案を実施するための形態】
【０００８】
以下、図に示す実施形態を基に、本考案を明確かつ簡潔に記載する。
【０００９】
図１から分かるように、本考案の目的である、背負い式動力噴霧器の基部への薬品タンクの取付の改良は、上端に充填ノズル（２）を備えたプラスチック製のタンク（１）から構成されている。
【００１０】
タンク（１）は、その前後側壁がそれらの中央部で互いに接着されることで電動送風機を取り付けるための補強取付部（３）が形成され、該取付部（３）でタンク（１）が接合されくことで電動送風機の取り付けを補強されている。
【００１１】
さらに、薬品タンク（１）の前側壁の下側部周辺において、縁部（４）には、取付ねじ（５）を収容する孔と、背負い帯（６）を受容する座部とが設けられている。
【００１２】
前記縁部（４）は、構造的な剛性を最大限に高めるために、垂直方向の照準に対して所定角度で突出する補強縁部に形成されている。
【００１３】
基台（７）には、その前縁部に、タンク（１）の縁部（４）と完全に嵌合可能な形状の第２縁部（８）が設けられている。
【００１４】
基台（７）の側面には、電動送風機の底部取付具（９）を受容する孔が２つ穿設され、後部は、燃料タンク（１０）を位置させるのに適した略平坦構造となっている。
【００１５】
上記説明は、好適な実施形態の一例を記載したが、本考案の範囲は、他の変形例を含み、添付の実用新案登録請求の範囲によってのみ制限され、その均等物をも含むことは理解されるべきである。
【符号の説明】
【００１６】
１        薬品タンク
２        充填ノズル
３        （電動送風機組立の）上部取付位置
４        縁部
５        取付ねじ
６        背負い帯
７        基台
８        前端
９        （電動送風機組立の）底部取付具
１０      燃料タンク